(57)【要約】      （修正有）【課題】用紙の切断の可否を判別しない場合と比較して、残留した用紙の除去が困難な状態を生じにくくすることができる後処理装置、画像形成装置及び画像形成システムを提供する。【解決手段】折装置５００は、用紙の位置を検知する用紙検知部４２０を有し、用紙検知部４２０の出力と、画像形成装置１００が有する用紙検知部４１０の出力との少なくともいずれか一方に基づいて、画像形成装置本体１１２と折装置本体５１２に跨って搬送不良が生じた用紙を切断するか否かを判別する制御回路によって用紙を切断するとの判別がされた場合に、提示装置６１０に用紙の切断を促す提示がされる。【選択図】図１
2019199350.tif 000002
【特許請求の範囲】
【請求項１】
用紙の位置を検知する後処理装置側検知手段を有し、
前記後処理装置側検知手段の出力及び画像形成装置が有する画像形成装置側検知手段の出力の少なくともいずれか一方に基づいて、画像形成装置本体と後修理装置本体とに跨って搬送不良が生じた用紙を切断するか否かを判別する判別手段によって、用紙を切断するとの判別がされた場合に、提示手段に用紙の切断を促す提示がされる後処理装置。
【請求項２】
前記提示手段を有する請求項１記載の後処理装置。
【請求項３】
前記画像形成装置が有する前記提示装置に用紙の切断を促す提示がされる請求項１記載の後処理装置。
【請求項４】
前記判別手段を有する請求項１から３いずれか記載の後処理装置。
【請求項５】
前記画像形成装置が有する前記判別手段により判別がなされる請求項１から３いずれか記載の後処理装置。
【請求項６】
用紙を切断する切断手段をさらに有する請求項１乃至６いずれか記載の後処理装置。
【請求項７】
用紙を搬送する第１の搬送部を有し、前記後処理装置本体から引き出し可能な第１の引出部と、
前記第１の引出部から排出される用紙が搬入され、用紙を搬送する第２の搬送部を有し、前記後処理装置本体から引き出し可能な第２の引出部と、
を有し、
前記第１の引出部と前記第２の引出部とに跨った状態で用紙の搬送不良が生じた場合に、前記第１の引出部と前記第２の引出部とを同時に引き出すように提示がされる請求項１から６いずれか記載の後処理装置。
【請求項８】
用紙の位置を検知する後処理装置側検知手段を有し、
前記後処理装置側検知手段の出力及び画像形成装置が有する画像形成装置側検知手段の出力の少なくともいずれか一方に基づいて、画像形成装置本体と後修理装置本体とに跨って搬送不良が生じた用紙を切断するか否かを判別する判別手段によって、用紙を切断するとの判別がされた場合に、切断手段が用紙を切断した後、提示手段に用紙を除去する手順を提示する後処理装置。
【請求項９】
用紙に画像を形成する画像形成部と、
用紙の位置を検知する画像形成装置側検知手段と、
後処理装置が有し、用紙の位置を検知する後処理装置側検知手段の出力及び前記画像形成装置側検知手段の出力の少なくともいずれか一方に基づいて、画像形成装置本体と後処理装置本体とに跨って搬送不良が生じた用紙を切断するか否かを判別する判別手段と、
前記判別手段によって用紙を切断するとの判別された場合に、用紙の切断を促す提示をする提示手段と、
を有する画像形成装置。
【請求項１０】
前記提示手段は、前記判別手段による用紙を切断しないとの判別がなされた場合に、用紙を除去する手順を提示する請求項９記載の画像形成装置。
【請求項１１】
前記判別手段は、搬送不良が生じた用紙の先端部の位置が予め定められた範囲内にある場合に、用紙の切断をしないと判別する請求項９又は１０記載の画像形成装置。
【請求項１２】
前記判別手段は、前記後処理装置が有し、前記後処理装置本体挿入された用紙を最初に把持する把持手段に把持される位置まで用紙の先端部が到達していない場合に、用紙を切断しないと判別する請求項１１記載の画像形成装置。
【請求項１３】
前記判別手段は、搬送不良が生じた用紙の後端部が予め定められた範囲内にある場合に、用紙の切断をしないと判別する請求項９から１２いずれか記載の画像形成装置。
【請求項１４】
前記判別手段は、前記後処理装置本体から用紙の後端部が突出していない場合に、用紙を切断しないと判別する請求項１３記載の画像形成装置。
【請求項１５】
用紙に画像を形成する画像形成部と、
用紙の位置を検知する画像形成装置側検知手段と、
後処理装置が有し、用紙の位置を検知する後処理装置側検知手段の出力及び前記画像形成装置側検知手段の出力の少なくともいずれか一方に基づいて、画像形成装置本体と後処理装置本体とに跨って搬送不良が生じた用紙を切断するか否かを判別する判別手段と、
前記判別手段によって用紙を切断するとの判別された場合に、切断手段が用紙を切断した後、用紙を除去する手順を提示する提示手段と、
を有する画像形成装置。
【請求項１６】
画像形成装置本体内に配置されていて、用紙の位置を検知する画像形成装置側検知手段と、
後処理装置本体内に配置されていて、用紙の位置を検知する後処理装置側検知手段と、
前記画像形成装置側検知手段の出力及び前記後処理装置側検知手段の出力に少なくとも一方に基づいて、前記画像形成装置本体と前記後処理装置本体とに跨って搬送不良が生じた用紙を切断するか否かを判別する判別手段と、
前記判別手段によって用紙を切断するとの判別がなされた場合に、用紙の切断を促す提示をする提示手段と、
を有する画像形成システム。
【請求項１７】
画像形成装置本体内に配置されていて、用紙の位置を検知する画像形成装置側検知手段と、
後処理装置本体内に配置されていて、用紙の位置を検知する後処理装置側検知手段と、
前記画像形成装置側検知手段の出力及び前記後処理装置側検知手段の出力に少なくとも一方に基づいて、前記画像形成装置本体と前記後処理装置本体とに跨って搬送不良が生じた用紙を切断するか否かを判別する判別手段と、
前記判別手段によって用紙を切断するとの判別がなされた場合に、切断手段が用紙を切断した後、用紙を除去する手順を提示する提示手段と、
を有する画像形成システム。
【発明の詳細な説明】
【技術分野】
【０００１】
本発明は、後処理装置、画像形成装置及び画像形成システムに関する。
【背景技術】
【０００２】
特許文献１には、用紙束から用紙を一枚ずつ給紙する給紙手段と、前記給紙手段により給紙された用紙を搬送路に沿って搬送する搬送手段と、前記搬送手段により搬送された用紙に画像を形成する画像形成手段とを備える画像形成装置において、搬送路近傍の所定の位置に、用紙の搬送方向に略垂直な方向であって搬送路を搬送する用紙を含む平面と平行な方向に沿って移動可能に設けられた、搬送路上で用紙が詰まったときに用紙を切断する用紙切断手段を備えることを特徴とする画像形成装置が記載されている。
【０００３】
特許文献２には、用紙搬送経路に沿って複数の搬送ローラを備えた画像形成システムであって、ユーザーの操作により用紙搬送経路の一部を開放可能に設けられた少なくとも一つの開放カバーと、搬送されている用紙が長尺紙であるか否かを判定する用紙判定手段と、用紙の搬送途中で用紙搬送機能が停止した後に、前記開放カバーが開放されたことを検出するカバー開放検出手段と、前記用紙判定手段で長尺紙であると判定された場合は、前記開放カバーの開放によって開放された位置に用紙のたるみができるように該用紙を挟着している搬送ローラを駆動する制御手段と、を備え、前記制御手段は、前記用紙判定手段の判定結果に基づいて用紙をユーザーが引っ張って排除できるかを判断し、前記用紙を引っ張って排除するのが困難であると判断した場合に、前記開放カバーの開放によって開放された位置に用紙のたるみができるように前記複数の搬送ローラのうち必要な搬送ローラを駆動し、さらに、前記制御手段は、搬送が停止された用紙の先端位置及び後端位置に基づいて、該用紙が幾つの搬送ローラで挟まれているかと、用紙の坪量とから、該用紙を引っ張って排除できるか否かを判断することを特徴とする画像形成システムが記載されている。
【先行技術文献】
【特許文献】
【０００４】
【特許文献１】特開２００１−２３３５４３号公報
【特許文献２】特許第６１３１４６８号公報
【発明の概要】
【発明が解決しようとする課題】
【０００５】
画像形成装置本体と後処理装置本体とに跨った状態の用紙に搬送不良が生じることがある。そして、搬送不良が生じた用紙を除去するために、画像形成装置本体と後処理装置本体とに跨った状態で搬送不良を生じた用紙を切断すると、後処理装置本体内に用紙が残留して、後処理装置本体内からの用紙の除去が困難な状態となる虞がある。
【０００６】
本発明は、用紙の切断の可否を判別しない場合と比較して、残留した用紙の除去が困難な状態を生じにくくすることができる後処理装置、画像形成装置及び画像形成システムを提供することを目的とする。
【課題を解決するための手段】
【０００７】
請求項１に係る本発明は、
用紙の位置を検知する後処理装置側検知手段を有し、
前記後処理装置側検知手段の出力及び画像形成装置が有する画像形成装置側検知手段の出力の少なくともいずれか一方に基づいて、画像形成装置本体と後修理装置本体とに跨って搬送不良が生じた用紙を切断するか否かを判別する判別手段によって、用紙を切断するとの判別がされた場合に、提示手段に用紙の切断を促す提示がされる後処理装置である。
【０００８】
請求項２に係る本発明は、前記提示手段を有する請求項１記載の後処理装置である。
【０００９】
請求項３に係る本発明は、前記画像形成装置が有する前記提示装置に用紙の切断を促す提示がされる請求項１記載の後処理装置である。
【００１０】
請求項４に係る本発明は、前記判別手段を有する請求項１から３いずれか記載の後処理装置である。
【００１１】
請求項５に係る本発明は、前記画像形成装置が有する前記判別手段により判別がなされる請求項１から３いずれか記載の後処理装置である。
【００１２】
請求項６に係る本発明は、用紙を切断する切断手段をさらに有する請求項１乃至６いずれか記載の後処理装置である。
【００１３】
請求項７に係る本発明は、
用紙を搬送する第１の搬送部を有し、前記後処理装置本体から引き出し可能な第１の引出部と、
前記第１の引出部から排出される用紙が搬入され、用紙を搬送する第２の搬送部を有し、前記後処理装置本体から引き出し可能な第２の引出部と、
を有し、
前記第１の引出部と前記第２の引出部とに跨った状態で用紙の搬送不良が生じた場合に、前記第１の引出部と前記第２の引出部とを同時に引き出すように提示がされる請求項１から６いずれか記載の後処理装置である。
【００１４】
請求項８に係る本発明は、
用紙の位置を検知する後処理装置側検知手段を有し、
前記後処理装置側検知手段の出力及び画像形成装置が有する画像形成装置側検知手段の出力の少なくともいずれか一方に基づいて、画像形成装置本体と後修理装置本体とに跨って搬送不良が生じた用紙を切断するか否かを判別する判別手段によって、用紙を切断するとの判別がされた場合に、切断手段が用紙を切断した後、提示手段に用紙を除去する手順を提示する後処理装置である。
【００１５】
請求項９に係る本発明は、
用紙に画像を形成する画像形成部と、
用紙の位置を検知する画像形成装置側検知手段と、
後処理装置が有し、用紙の位置を検知する後処理装置側検知手段の出力及び前記画像形成装置側検知手段の出力の少なくともいずれか一方に基づいて、画像形成装置本体と後処理装置本体とに跨って搬送不良が生じた用紙を切断するか否かを判別する判別手段と、
前記判別手段によって用紙を切断するとの判別された場合に、用紙の切断を促す提示をする提示手段と、
を有する画像形成装置である。
【００１６】
請求項１０に係る本発明は、前記提示手段は、前記判別手段による用紙を切断しないとの判別がなされた場合に、用紙を除去する手順を提示する請求項９記載の画像形成装置である。
【００１７】
請求項１１に係る本発明は、前記判別手段は、搬送不良が生じた用紙の先端部の位置が予め定められた範囲内にある場合に、用紙の切断をしないと判別する請求項９又は１０記載の画像形成装置である。
【００１８】
請求項１２に係る本発明は、前記判別手段は、前記後処理装置が有し、前記後処理装置本体挿入された用紙を最初に把持する把持手段に把持される位置まで用紙の先端部が到達していない場合に、用紙を切断しないと判別する請求項１１記載の画像形成装置である。
【００１９】
請求項１３に係る本発明は、前記判別手段は、搬送不良が生じた用紙の後端部が予め定められた範囲内にある場合に、用紙の切断をしないと判別する請求項９から１２いずれか記載の画像形成装置である。
【００２０】
請求項１４に係る本発明は、前記判別手段は、前記後処理装置本体から用紙の後端部が突出していない場合に、用紙を切断しないと判別する請求項１３記載の画像形成装置である。
【００２１】
請求項１５に係る本発明は、
用紙に画像を形成する画像形成部と、
用紙の位置を検知する画像形成装置側検知手段と、
後処理装置が有し、用紙の位置を検知する後処理装置側検知手段の出力及び前記画像形成装置側検知手段の出力の少なくともいずれか一方に基づいて、画像形成装置本体と後処理装置本体とに跨って搬送不良が生じた用紙を切断するか否かを判別する判別手段と、
前記判別手段によって用紙を切断するとの判別された場合に、切断手段が用紙を切断した後、用紙を除去する手順を提示する提示手段と、
を有する画像形成装置である。
【００２２】
請求項１６に係る本発明は、
画像形成装置本体内に配置されていて、用紙の位置を検知する画像形成装置側検知手段と、
後処理装置本体内に配置されていて、用紙の位置を検知する後処理装置側検知手段と、
前記画像形成装置側検知手段の出力及び前記後処理装置側検知手段の出力に少なくとも一方に基づいて、前記画像形成装置本体と前記後処理装置本体とに跨って搬送不良が生じた用紙を切断するか否かを判別する判別手段と、
前記判別手段によって用紙を切断するとの判別がなされた場合に、用紙の切断を促す提示をする提示手段と、
を有する画像形成システムである。
【００２３】
請求項１７に係る本発明は、
画像形成装置本体内に配置されていて、用紙の位置を検知する画像形成装置側検知手段と、
後処理装置本体内に配置されていて、用紙の位置を検知する後処理装置側検知手段と、
前記画像形成装置側検知手段の出力及び前記後処理装置側検知手段の出力に少なくとも一方に基づいて、前記画像形成装置本体と前記後処理装置本体とに跨って搬送不良が生じた用紙を切断するか否かを判別する判別手段と、
前記判別手段によって用紙を切断するとの判別がなされた場合に、切断手段が用紙を切断した後、用紙を除去する手順を提示する提示手段と、
を有する画像形成システムである。
【発明の効果】
【００２４】
請求項１に係る本発明によれば、用紙の切断の可否を判別しない場合と比較して、残留した用紙の除去が困難な状態を生じにくくすることができる後処理装置を提供することができる。
【００２５】
請求項２に係る本発明によれば、提示のための外部の装置を不要にすることができる。
【００２６】
請求項３に係る本発明によれば、後処理装置に提示装置を設けたり、提示のための外部装置を用いたりする必要をなくすことができる。
【００２７】
請求項４に係る本発明によれば、判別手段として画像形成装置が有する制御部を用いる必要がなくなり、画像形成装置側の負荷を軽くすることができる。
【００２８】
請求項５に係る本発明によれば、後処理装置に判別手段を設ける必要をなくすことができる。
【００２９】
請求項６に係る本発明によれば、外部の切断手段を用いる場合と比較して、用紙を切断する操作を簡単にすることができる。
【００３０】
請求項７に係る本発明によれば、第１の引出部と第２の引出部とが別々に引き出されることにより用紙が破れるとの事態を生じにくくすることができる。
【００３１】
請求項８に係る本発明によれば、用紙の切断の可否を判別しない場合と比較して、残留した用紙の除去が困難な状態を生じにくくすることができる後処理装置を提供することができる。
【００３２】
請求項９に係る本発明によれば、用紙の切断の可否を判別しない場合と比較して、残留した用紙の除去が困難な状態を生じにくくすることができる画像形成装置を提供することができる。
【００３３】
請求項１０に係る本発明によれば、冊子等で用紙を除去する方法を調べる必要をなくすことができる。
【００３４】
請求項１１に係る本発明によれば、用紙の先端部の位置にかかわらず用紙を切断する場合と比較して、用紙の切断された部分よりも先端側の部分が後処理装置本体内から除去できなくなるとの事態を生じにくくすることができる。
【００３５】
請求項１２に係る本発明によれば、把持されていない用紙の先端部が切断され、把持されず切断された用紙が後処理装置本体内から除去できなくなるとの事態を生じにくくすることができる。
【００３６】
請求項１３に係る本発明によれば、用紙の後端部の位置にかかわらず用紙を切断する場合と比較して、用紙の切断された部分よりも後端部側の部分が後処理装置本体内から除去できなくなるとの事態を生じにくくすることができる。
【００３７】
請求項１４に係る本発明によれば、後処理装置本体から用紙の後端部が突出していない場合であっても用紙を切断する場合と比較して、用紙の切断された部分よりも後端部側を操作者が掴めず、用紙の切断された部分よりも後端部側を操作者が後処理装置本体内から引き出すことが出来なくとなるとの事態を生じにくくすることができる。
【００３８】
請求項１５に係る本発明によれば、用紙の切断の可否を判別しない場合と比較して、残留した用紙の除去が困難な状態を生じにくくすることができる画像形成装置を提供することができる。
【００３９】
請求項１６に係る本発明によれば、用紙の切断の可否を判別しない場合と比較して、残留した用紙の除去が困難な状態を生じにくくすることができる画像形成システムを提供することができる。
【００４０】
請求項１７に係る本発明によれば、用紙の切断の可否を判別しない場合と比較して、残留した用紙の除去が困難な状態を生じにくくすることができる画像形成システムを提供することができる。
【図面の簡単な説明】
【００４１】
【図１】本発明の実施形態で用いられる画像形成システムを示す図である。
【図２】図１に示す画像形成システムが有する画像形成装置を示す図である。
【図３】図１に示す画像形成システムが有する後処理装置を示す図である。
【図４】図３に示す後処理装置を図３に示す矢印Ａ−Ａ方向から示す図である。
【図５】図３に示す後処理装置が有する切断装置を示す図である。
【図６】図３に示す後処理装置が有する排出機構を示す図である。
【図７】図１に示す画像形成システムの制御部を示すブロック図である。
【図８】図１に示す画像形成装置内で搬送不良が生じた用紙を示し、図８（Ａ）は、先端部が把持部に把持されていない状態の用紙を示す図であり、図８（Ｂ）は、後端部が折装置本体から突出していない状態の用紙を示す図であり、図８（Ｃ）は、先端部が把持部に到達していて、後端部が折装置本体から突出している状態の用紙を示す図である。
【図９】図１に示す画像形成システムにおける搬送不良が生じた用紙の処理を提示する際の動作を説明する第１のフローチャートである。
【図１０】図１に示す画像形成システムにおける搬送不良が生じた用紙の処理を提示する際の動作を説明する第２のフローチャートである。
【図１１】図１に示す画像形成システムの変形例における搬送不良が生じた用紙の処理を提示する際の動作を説明するフローチャートである。
【発明を実施するための形態】
【００４２】
次に、本発明を実施するための形態を図面を参照して説明する。図１は、本発明の実施形態で用いられる画像形成システム１０を左側面側から示す断面図である。図１に示すように、画像形成システム１０は、画像形成装置１００と、後処理装置の一例である折装置５００とを有する。この実施形態においては、画像形成装置１００と折装置５００とは別体であり、互いに連結可能であって、通常の使用時には画像形成装置１００と折装置５００とが連結されている。
【００４３】
画像形成装置１００は画像形成装置本体１１２を有し、画像形成装置本体１１２内に用紙に画像を形成する画像形成部１２０が配置されている。画像形成部１２０は、例えば電子写真方式が採用されていて、感光体１２２を有し、感光体１２２の表面に形成されたトナー像を用紙に転写し、用紙に転写されたトナー像を用紙に定着することで画像を形成する。ここで、用紙は、画像が形成される記録媒体の一例である。尚、画像形成部１２０の詳細は後述する。
【００４４】
画像形成装置本体１１２内には、切断装置３００がさらに配置されている。切断装置３００は、所謂自動カッターであって、円板刃３０２を有し、モータ（不図示）が円板刃３０２を動かして用紙を切断する。
【００４５】
画像形成装置本体１１２内には、給紙装置２００がさらに配置されている。給紙装置２００は、画像形成部１２０に用紙を供給する装置であって、第１供給部２１０と、第２供給部２２０と、第３供給部２３０とを有する。第１供給部２１０と第２供給部２２０とは、画像形成部１２０へと、それぞれにカット紙を供給する。ここで、カット紙とは、一枚ずつ定形に裁断されている用紙であって、単票紙とも称される。第３供給部２３０は、切断装置３００を介して、画像形成部１２０に向けてロール紙を供給する。そして、切断装置３００によって任意の大きさに切断されたロール紙が、画像形成部１２０へと供給される。ここで、ロール紙とは、ロール状に巻かれている用紙をいう。
【００４６】
画像形成装置本体１１２内には、搬送路２５０が形成されている。搬送路２５０は、給紙装置２００が供給した用紙を画像形成部１２０へと搬送するために用いられ、さらには、画像形成部１２０によって画像が形成された用紙を画像形成装置本体１１２外へと排出するように搬送するために用いられる。
【００４７】
画像形成装置１００は、用紙検知部４１０をさらに有する。用紙検知部４１０は、画像形成装置１００が有する画像形成装置側検知手段の一例であって、複数のセンサ４１２を有する。複数のセンサ４１２は、それぞれが搬送路２５０に沿って配置されていて、センサ４１２近傍に用紙があるか否かを検出する。
【００４８】
画像形成装置１００は、複数の搬送ロール２５２をさらに有する。それぞれの搬送ロール２５２は、搬送路２５０に沿って配置されていて、それぞれに用紙を搬送する。
【００４９】
画像形成装置１００は、キャスタ１１４をさらに有する。キャスタ１１４は、画像形成装置１００の移動を補助する移動補助装置の一例であって、画像形成装置本体１１２の底面に装着されている。先述のように、画像形成装置１００は折装置５００と別体であるため、画像形成装置１００と折装置５００との連結を解除すれば、キャスタ１１４を用いて画像形成装置１００を折装置５００とは別に移動させることができる。
【００５０】
折装置５００は、折装置本体５１２を有し、折装置本体５１２内に搬送路５２０が形成されている。搬送路５２０は、画像形成装置本体１１２から排出され、折装置本体５１２内へと挿入された用紙を搬送するために用いられ、搬送路５２０によって搬送中に用紙が折られ、畳まれる。
【００５１】
折装置５００は、用紙検知部４２０をさらに有する。用紙検知部４２０は、後処理装置側検知手段の一例であって複数のセンサ４２２を有する。センサ４２２は、それぞれが搬送路５２０に沿って配置されていて、センサ４２２近傍に用紙があるか否かを検出する。
【００５２】
折装置５００は、複数の搬送ロール５３０をさらに有する。搬送ロール５３０は、それぞれが搬送路５２０に沿って配置されていて、それぞれが用紙を搬送する。
【００５３】
画像形成システム１０は、提示装置６１０と操作装置６２０とをさらに有する。提示装置６１０と操作装置６２０とは、例えば一体として構成されていて、画像形成装置本体１１２の外側に位置するように、例えば画像形成装置本体１１２に装着されている。
【００５４】
提示装置６１０は、提示手段の一例であって、例えば液晶表示パネル等を用いることができる表示装置６１２を有し、例えば、操作者に対して次に行うべき操作の手順等を提示する。操作装置６２０は、例えば、電源を投入する際に押される電源ボタンや、出力する用紙の数を指定するためのテンキー等を有する。
【００５５】
この実施形態では、提示装置６１０は、画像形成装置本体１１２に装着され、画像形成装置１００が提示装置６１０を有する構成が採用されているものの、折装置５００が提示装置６１０を有するとの構成を採用してもよい。また、提示装置６１０を、画像形成装置１００及び折装置５００とは別の外部装置として構成してもよい。提示装置６１０として用いる外部装置としては、例えば、表示装置を備えたパーソナルコンピュータを挙げることができる
【００５６】
画像形成システム１０は、制御部４００をさらに有する。制御部４００は、例えば画像形成装置本体１１２内に配置されていて、画像形成装置１００の各部を制御するとともに、折装置５００を制御する。この実施形態では、制御部４００は、画像形成装置本体１１２内に配置され、画像形成装置１００が制御部４００を有する構成が採用されているものの、折装置５００が制御部４００を有するとの構成を採用してもよい。また、画像形成装置１００及び折装置５００とは別の例えばパーソナルコンピュータ等の外部装置が制御部４００を有するとの構成を採用してもよい。尚、制御部４００の詳細は後述する。
【００５７】
画像形成システム１０は、切断装置７００をさらに有する。切断装置７００は、用紙を切断する切断手段の一例であって、例えば折装置本体５１２内に配置されている。すなわち、この実施形態では、折装置５００が切断装置７００を有している。この実施形態では、折装置５００が切断装置７００を有する構成が採用されているものの、画像形成装置１００が切断装置７００を有する構成を採用してもよい。尚、切断装置７００の詳細は後述する。
【００５８】
図２には、画像形成装置１００が示されている。画像形成装置１００は、先述のように画像形成部１２０を有する。画像形成部１２０は、先述のように感光体１２２を有し、さらには、感光体１２２の表面を帯電する帯電装置１２４と、感光体１２２の表面に潜像を形成する潜像形成装置１２６と、感光体１２２に形成された潜像をトナーを含有する現像剤で現像し、トナー像とする現像装置１２８と、現像装置１２８で現像されたトナー像を用紙に転写する転写装置１３２と、感光体１２２の表面を清掃する清掃装置１３４と、転写装置１３２で用紙に転写されたトナー像を用紙に定着させる定着装置１３６とを有する。
【００５９】
図３と図４とには、折装置５００が示されている。図３及び図４に示すように、折装置本体５１２には、画像形成装置本体１１２から排出された用紙が挿入される挿入口５１２ａが形成されている。また、折装置本体５１２には、折装置本体５１２内から用紙が排出される排出口５１２ｂと、同じく折装置本体５１２内から用紙を排出する排出口５１２ｃとが形成されている。
【００６０】
折装置本体５１２内には、先述のように搬送路５２０が形成されている。そして、図３及び図４に示すように、搬送路５２０は、主搬送路５２２と副搬送路５２４とを有する。主搬送路５２２は、挿入口５１２ａから挿入された用紙を排出口５１２ｂまで搬送するための搬送路であって、主搬送路５２２を搬送中に用紙が折られて畳まれる。
【００６１】
副搬送路５２４は、用紙を排出口５１２ｃから排出するように搬送するための搬送路であって、主搬送路５２２の用紙搬送方向において後述する第１刃部材７０２及び第２刃部材７０４よりも上流側の位置で主搬送路５２２から分岐している。副搬送路５２４を搬送される用紙は、折られることなく折装置本体５１２外へと排出される。
【００６２】
折装置５００は、先述のように複数の複数の搬送ロール５３０を有する。これらの搬送ロール５３０であって、用紙の搬送方向において主搬送路５２２の最も上流側に位置する搬送ロール５３０を、以下、搬送ロール５３０ａとする。また、図３に示すように、搬送ロール５３０ａ近傍には、搬送ロール５３０ａに接触し、搬送ロール５３０ａとの間に用紙を挟み込む接触部材５３２ａが配置されている。ここで、搬送ロール５３０ａと接触部材５３２ａとは把持手段の一例であって、折装置本体５１２内に挿入された用紙であって、主搬送路５２２を用いて搬送中の用紙を最初に把持する。
【００６３】
折装置５００は、引き込み機構５６０をさらに有する。引き込み機構５６０は、折装置本体５１２内で搬送不良が生じ、切断装置７００で切断した用紙を上部引出部５８０に引き込むための機構である。尚、引き込み機構５６０の詳細は後述する。
【００６４】
折装置５００は、上部引出部５８０をさらに有する。上部引出部５８０は、第１の引出部の一例であって、上部引出部本体５８２を有し、折装置本体５１２から例えば左側（図３において紙面に対して手前側）へと引き出すことが可能となっている。また、先述の複数の搬送ロール５３０のうちの上部引出部本体５８２内に配置されているものは、第１の搬送部の一例である
【００６５】
折装置５００は、下部引出部５８４をさらに有する。下部引出部５８４は、第２の引出部の一例であって、下部引出部本体５８６を有し、上部引出部５８０と同様に左側へと引き出すことが可能となっている。下部引出部５８４には、上部引出部５８０から排出された用紙が搬入される。また、先述の複数の搬送ロール５３０のうちの、下部引出部５８４内に配置されているものは、第２の搬送部の一例である。
【００６６】
上述のように、上部引出部５８０と下部引出部５８４とは、折装置本体５１２から独立して引出可能であるとともに、折装置本体５１２から同じ方向に引き出すことが可能となっている。また、上部引出部５８０と下部引出部５８４とに跨った状態の用紙に搬送不良が生じる場合がある。このような場合に、搬送不良が生じた用紙を除去するために、上部引出部５８０及び下部引出部５８４の一方のみを引き出すと、搬送不良が生じている用紙が破れて、搬送不良が生じている用紙の除去が困難になる虞がある。このため、上部引出部５８０と下部引出部５８４とに用紙が跨った状態の用紙に搬送不良が生じた場合には、上部引出部５８０と下部引出部５８４とを同時に引き出すことが望ましい。
【００６７】
折装置５００は、後部引出部５９０をさらに有する。後部引出部５９０は、後部引出部本体５９２を有し、折装置本体５１２から、後側（図３における左側）へと引き出すことが可能となっている。
【００６８】
折装置５００は、キャスタ５４０をさらに有する。キャスタ５４０は、折装置５００の移動を補助する移動補助装置の一例であって、折装置本体５１２の底面に装着されている。先述のように折装置５００は、画像形成装置１００と別体であるため、画像形成装置１００と折装置５００との連結を解除すれば、キャスタ５４０を用いて折装置５００を画像形成装置１００とは別に移動させることができる。
【００６９】
図５には、切断装置７００が示されている。図５に示すように、切断装置７００は、第１刃部材７０２と第２刃部材７０４とを有する。第１刃部材７０２は、搬送路５２０内の用紙に刃が接触するように、例えば搬送路５２０の上側に配置されている。第２刃部材７０４は、搬送路５２０内の用紙に刃が接触するように、搬送路５２０に対して第１刃部材７０２と逆側に配置されている。
【００７０】
切断装置７００は、操作部７０８をさらに有する。操作部７０８は、切断装置７００を用いて用紙を切断する際に操作者によって操作され、折装置本体５１２の左側の面に装着されている。また、操作部７０８は、連結機構７１０で第１刃部材７０２及び第２刃部材７０４と連結されている。連結機構７１０としては、例えば、ギア列を用いることができる。
【００７１】
図６には、引き込み機構５６０が示されている。図６に示すように、引き込み機構５６０は、先述の搬送ロール５３０ａと、先述の接触部材５３２ａとを有し、さらには操作部５６２を有する。
【００７２】
操作部５６２は、上部引出部本体５８２の左側面に回転することができるように取り付けられている。また、操作部５６２は、搬送ロール５３０ａ及び接触部材５３２ａと連結機構５６４を用いて連結されている。ここで、連結機構５６４としては、例えばギア列を用いることができる。そして、操作者が操作部５６２を回転させると、搬送ロール５３０ａと接触部材５３２ａとが図６に矢印で示す方向に回転し、搬送不良が生じ、切断装置７００によって切断された用紙を、上部引出部５８０内に引き込む。そして、上部引出部５８０内への引き込まれた用紙は、上部引出部５８０が左側（図３において紙面に対して手前側）へと引き出された後、操作者によって除去される。
【００７３】
以上のように構成された切断装置７００においては、操作者が操作部７０８を図５に示す矢印方向に回転させると、それぞれが有する刃が用紙に接触した状態で、第１刃部材７０２及び第２刃部材７０４が右側（図５における紙面奥側）から左側（図５における紙面手前側）へと移動し、搬送路５２０内にある用紙を切断する。
【００７４】
以上のように構成された画像形成システム１０においては、画像形成装置１００と折装置５００とに跨った状態の用紙に搬送不良が生じる虞がある。そして、画像形成装置１００と折装置５００とに跨った状態で搬送不良が生じた用紙を除去する場合には、切断装置７００で用紙を切断し、画像形成装置１００と折装置５００とから、切断装置７００で切断された用紙をそれぞれに除去することが簡単である
【００７５】
しかしながら、画像形成装置１００と折装置５００とに跨った状態で搬送不良が生じた用紙を切断装置７００で切断すると、搬送不良が生じた用紙の位置によっては、搬送不良が生じた用紙を除去しにくくなったり、搬送不良が生じた用紙を除去できなくなったりする虞がある。
【００７６】
このため、この画像形成システム１０では、搬送不良が生じた用紙の切断装置７００による切断の可否を判別し、用紙の切断をするとの判別がなされた場合に、提示装置６１０に用紙の切断を促す提示をする一方で、用紙を切断しないとの判別がなされなかった場合には、用紙の切断を促す表示をしていない。以下、より具体的に説明する。
【００７７】
図７は、制御部４００の構成を説明するブロック図である。図７に示すように、制御部４００は制御回路４０２を有し、通信インターフェイス４０４を介して制御回路４０２に画像データが入力される。また、制御回路４０２には、用紙検知部４１０からの出力、すなわち複数のセンサ４１２からの出力と、用紙検知部４２０からの出力、すなわち複数のセンサ４２２からの出力とが入力される。また、制御回路４０２には、操作装置６２０からの出力が入力される。また、制御回路４０２からの出力で、提示装置６１０と、画像形成部１２０と、給紙装置２００とが制御される。
【００７８】
また、制御回路４０２は、用紙検知部４１０の出力、すなわち複数のセンサ４１２の出力と、用紙検知部４２０の出力、すなわち複数のセンサ４２２の出力とから、画像形成システム１０内で搬送中である用紙の位置を演算する。このため、用紙に搬送不良が生じた場合に、制御回路４０２は、画像形成システム１０内における搬送不良が生じた用紙の先端部（後述する先端部Ｐｔ、図８を参照）の位置を演算することができ、画像形成システム１０内における搬送不良が生じた用紙の後端部（後述する後端部Ｐｒ、図８を参照）の位置を演算することができる。
【００７９】
そして、制御回路４０２は、演算した用紙の位置を用いて、画像形成装置本体１１２と折装置本体５１２とに跨った状態で搬送不良が生じた用紙を切断するか否かを判別する。このように、制御回路４０２は、用紙を切断するか否かを判別する判別手段の一例である。
【００８０】
図８は、画像形成装置本体１１２と折装置本体５１２との間に跨った状態で搬送不良が生じた用紙を説明する図である。以下の説明では、用紙を用紙Ｐとし、用紙Ｐの先端部を先端部Ｐｔとし、用紙Ｐの後端部を後端部Ｐｒとすることがある。
【００８１】
図８（Ａ）には、画像形成装置本体１１２と折装置本体５１２との間に跨った状態で搬送不良が生じた用紙Ｐであって、先端部Ｐｔが、搬送ロール５３０ａ及び接触部材５３２ａに到達していない状態の用紙Ｐが示されている。図８（Ａ）に示された状態で、切断装置７００によって用紙Ｐを切断すると、切断された用紙Ｐの先端部Ｐｔ側の部分は、複数の搬送ロール５３０のいずれにも挟まれていない状態となり、折装置本体５１２内で移動させることが困難となり、折装置本体５１２から取り出すことが困難になってしまう。
【００８２】
このため、図８（Ａ）に示すように、先端部Ｐｔが搬送ロール５３０ａ及び接触部材５３２ａに到達していない状態においては、用紙Ｐを切断装置７００で切断しないことが望ましい。このため、図８（Ａ）に示す状態で用紙Ｐに搬送不良が生じた場合は、提示装置６１０に用紙Ｐの切断を促す提示をしないことが望ましい。
【００８３】
図８（Ｂ）には、画像形成装置本体１１２と折装置本体５１２との間に跨った状態で搬送不良が生じた用紙Ｐであって、後端部Ｐｒが折装置本体５１２から突出していない用紙Ｐが示されている。図８（Ｂ）に示された状態で、切断装置７００によって用紙Ｐを切断すると、切断された用紙Ｐの後端部Ｐｒ側の部分は、複数の搬送ロール５３０のいずれにも挟まれていない状態となり、折装置本体５１２内で移動させることが困難となる。また、図８（Ｂ）に示された状態においては、用紙Ｐの後端部Ｐｒ側が折装置本体５１２から突出していないため、切断された用紙Ｐの後端部Ｐｒ側を操作者が折装置本体５１２の外側から掴んで、折装置本体５１２内から引き出すことができない。
【００８４】
すなわち、図８（Ｂ）に示す状態にある用紙Ｐを切断すると、用紙Ｐの後端部Ｐｒ側を折装置本体５１２から取り除くことが困難になってしまう。このため、図８（Ｂ）に示すように、後端部Ｐｒが折装置本体５１２から突出していない状態においては、用紙Ｐを切断装置７００で切断しないことが望ましい。このため、図８（Ｂ）に示す状態で用紙Ｐに搬送不良が生じた場合は、提示装置６１０に用紙Ｐの切断を促す提示をしないことが望ましい。
【００８５】
図８（Ｃ）には、画像形成装置本体１１２と折装置本体５１２との間に跨った状態で搬送不良が生じた用紙Ｐであって、先端部Ｐｔが搬送ロール５３０ａ及び接触部材５３２ａに到達していて、後端部Ｐｒが折装置本体５１２から突出している用紙Ｐが示されている。図８（Ｃ）に示す状態にある用紙Ｐを切断すると、切断された用紙Ｐの後端部Ｐｒ側は、折装置本体５１２の外側から突出した部分を操作者が掴み、操作者が引き出すようにして折装置本体５１２から引き出すことができるようになる。
【００８６】
また、切断された用紙Ｐの先端部Ｐｔ側の部分は、操作者が引き込み機構５６０を操作した後、上部引出部５８０を折装置本体５１２から引き出した状態において、上部引出部５８０から取り除くことができ、折装置本体５１２内から取り除くことができるようになる。このため、図８（Ｃ）に示す状態においては、用紙Ｐを切断装置７００を用いて切断することが望ましい。このため、図８（Ｃ）に示す状態で用紙Ｐに搬送不良が生じた場合には、提示装置６１０の用紙Ｐの切断を促す表示をすることが望ましい。
【００８７】
図９は、制御回路４０２による提示装置６１０の制御を示す第１のフローチャートである。図９に示すように、最初のステップであるステップＳ１０で用紙に搬送不良が生じたことを確認すると、制御回路４０２は、次のステップであるステップＳ１２において、用紙Ｐの先端部Ｐｔの位置が、予め定められた範囲内にあるか否かを判別する。すなわち、用紙Ｐの先端部Ｐｔが、折装置本体５１２内であって、搬送ロール５３０ａ及び接触部材５３２ａに到達していない位置にあるか否かを判別する。
【００８８】
そして、ステップＳ１２で、用紙Ｐの先端部Ｐｔが、折装置本体５１２内であって、搬送ロール５３０ａ及び接触部材５３２ａに到達していない位置にあるとの判別がなされた場合は、ステップＳ１４に進む。
一方、ステップＳ１２で、用紙Ｐの先端部Ｐｔが、折装置本体５１２内の搬送ロール５３０ａ及び接触部材５３２ａが接触する位置に到達しているとの判別がなされた場合は、ステップＳ１６に進む。
【００８９】
ステップＳ１６では、用紙Ｐの後端部Ｐｒの位置が、予め定められた範囲内にあるか否かを判別する。すなわち、用紙Ｐの後端部Ｐｒが、折装置本体５１２から突出していない位置にあるか否かが判別される。
【００９０】
ステップＳ１６で、用紙Ｐの後端部Ｐｒが、折装置本体５１２から突出していない位置にあるとの判別がなされた場合は、ステップＳ１４に進む。
【００９１】
一方において、ステップＳ１６で、用紙Ｐの後端部Ｐｒが折装置本体５１２から突出しているとの判別がなされた場合には、ステップＳ１８に進む。
【００９２】
ステップＳ１４では、制御回路４０２は、提示装置６１０を制御して、提示装置６１０に、搬送不良が生じた用紙を除去する手順を提示させる。ここで、提示装置６１０に提示がされる用紙を除去する手順は、切断装置７００で用紙を切断する工程を含まない。ステップＳ１４における提示装置６１０での提示の一例としては、例えば、表示装置６１２に「折装置から用紙を引き抜いてください」との表示や、「タイヤル（操作部５６２）を操作して、用紙を折装置の中に引き込んでください」との表示を挙げることができる。
【００９３】
ステップＳ１８では、制御回路４０２は、提示装置６１０を制御して、提示装置６１０に用紙Ｐに切断を促す提示をさせる。
【００９４】
ここで、提示装置６１０での提示の一例としては、例えば、表示装置６１２に「ダイヤル（操作部７０８）を回転させてジャムした用紙を切断してください」と表示することを挙げることができる。また、提示装置６１０での提示の他の例としては、用紙の切断方法を説明したレベルを画像形成システム１０のいずれかの位置に貼っておき、表示装置６１２に「ラベルを参照してジャムした用紙を切断してください」と表示することを挙げることができる。
【００９５】
図１０は、制御回路４０２による提示装置６１０の制御を示す第２のフローチャートである。以下で説明をする提示装置６１０の制御は、例えば、上述のステップＳ１８での用紙Ｐの切断を促す表示がなされた後になされる。
【００９６】
図１０に示すように、最初のステップであるステップＳ３０で用紙に搬送不良が生じたことを確認すると、次のステップであるステップＳ３２において、制御回路４０２は、センサ４２２の出力に基づいて、搬送不良が生じた用紙が上部引出部５８０と下部引出部５８４とに跨った状態にあるか否かを判別する。
【００９７】
そして、ステップＳ３２で、搬送不良が生じた用紙が上部引出部５８０と下部引出部５８４とに跨った状にはないとの判別がなされた場合、制御回路４０２は一連の制御を終了させる。一方、ステップＳ３２で、搬送不良が生じた用紙が上部引出部５８０と下部引出部５８４とに跨った状態にあるとの判別がなされた場合はステップＳ３４に進む。
【００９８】
ステップＳ３４では、制御回路４０２は、提示装置６１０を制御して、提示装置６１０に、上部引出部５８０と下部引出部５８４とを同時に引き出すことを提示させる。ここで、提示装置６１０での提示の一例としては、例えば、表示装置６１２に「上部引出部と下部引出部とを同時に引き出してください」と表示することを挙げることができる。
【００９９】
図１１には、本発明の変形例における制御を示すフローチャートである。先述の実施形態においては、切断装置７００は、操作者が操作をすることで用紙Ｐを切断するように構成されていた。これに対して、この変形例においては、切断装置７００は、例えばモータ等の駆動源（不図示）により駆動して、用紙Ｐを自動で切断するように構成されている。ここで、自動とは、操作者による特定の操作を要しないことをいうものとする。
【０１００】
また、先述の実施形態では、ステップＳ１８において、制御回路４０２は、提示装置６１０を制御して、提示装置６１０に操作者に対して用紙Ｐの切断を促す提示をさせた。ここれに対して、この変形例では、ステップＳ１８に替わるステップＳ１９において、制御回路４０２は、切断装置７００を制御して、切断装置７００に用紙Ｐを切断させる。
【０１０１】
そして、ステップＳ１９の後にステップＳ１４へと進み、ステップＳ１４において、制御回路４０２は、提示装置６１０を制御して、提示装置６１０に、搬送不良が生じた用紙を除去する手順を提示させる。
【符号の説明】
【０１０２】
１０・・・画像形成システム
１００・・・画像形成装置
１１２・・・画像形成装置本体
１２０・・・画像形成部
３００・・・切断装置
４００・・・制御部
４０２・・・制御回路
４１０・・・用紙検知部
４１２・・・センサ
４２０・・・用紙検知部
４２２・・・センサ
５００・・・折装置
５１２・・・折装置本体
５２０・・・搬送路
５３０、５３０ａ・・・搬送ロール
５３２ａ・・・接触部材
５６０・・・引き込み機構
５８０・・・上部引出部
５８４・・・下部引出部
６１０・・・提示装置
７００・・・切断装置
Ｐ・・・用紙
Ｐｒ・・・後端部
Ｐｔ・・・先端部
【図１】
2019199350.tif 000003
【図２】
2019199350.tif 000004
【図３】
2019199350.tif 000005
【図４】
2019199350.tif 000006
【図５】
2019199350.tif 000007
【図６】
2019199350.tif 000008
【図７】
2019199350.tif 000009
【図８】
2019199350.tif 000010
【図９】
2019199350.tif 000011
【図１０】
2019199350.tif 000012
【図１１】
2019199350.tif 000013